(57)【要約】【課題】雄端子と雌端子の接続を維持しながら、第１のコネクタハウジングに対する第２のコネクタハウジングの相対的な屈曲性を確保する。【解決手段】雄端子２２０は先端に球形電気接触部２２１を有し、雌端子は、放射状に配置されることで、球形電気接触部が挿入される挿入穴１２６を形成する多数の接触バネ片１２５を有する。接触バネ片は、球形電気接触部を回転可能に保持し、第２の屈曲部１２５ｃで球形電気接触部に抜け止め規制力を及ぼす。雄端子を保持する第２のコネクタハウジングの前端には、球形電気接触部の球中心を中心とする凹球面２１２ａが設けられ、雌端子を保持する第１のコネクタハウジングの前端には、凹球面に摺動自在に当接する凸球面１１２ａが設けられている。【選択図】図１
2015005403.tif 000002
【特許請求の範囲】
【請求項１】
雌端子と、該雌端子に挿入される雄端子と、前記雌端子を収容保持する第１のコネクタハウジングと、前記雄端子を保持する第２のコネクタハウジングと、を有するコネクタであって、
前記雄端子は、前記雌端子に対する挿入方向の先端に球形電気接触部を有し、
前記雌端子は、放射状に配置されることで、前記球形電気接触部が挿入される挿入穴を形成すると共に、前記挿入穴の半径方向に弾性変形可能な多数の接触バネ片を有し、
前記挿入穴は、前記球形電気接触部を受容する受容空間部とされた穴形状を有することを特徴とするコネクタ。
【請求項２】
前記挿入穴は、前記各接触バネ片が前記挿入穴の半径方向に屈曲した形状とされることで、入口部が前記球形電気接触部の挿入されて来る方向に向かって拡開した拡開形状部とされ、その奥部が前記球形電気接触部より小径の窄まり形状部とされ、更に最奥部が前記受容空間部とされ、
前記接触バネ片は、前記雄端子の前記球形電気接触部が前記挿入穴の受容空間部まで挿入された際に、前記球形電気接触部に圧接した状態で前記球形電気接触部を回転可能に保持し、且つ、前記窄まり形状部を形成する屈曲部で、前記球形電気接触部に対し弾性復元力による抜け止め規制力を及ぼす構成とされたことを特徴とする請求項１に記載のコネクタ。
【請求項３】
前記雄端子を収容保持する前記第２のコネクタハウジングの前端に、前記球形電気接触部の球中心を中心とする凹球面を前面に有する押圧壁が更に設けられ、
一方、前記雌端子を収容保持する前記第１のコネクタハウジングの前端に、前記雄端子の前記球形電気接触部が前記雌端子の前記挿入穴の受容空間部に受容されたとき、前記第１のコネクタハウジングの前記凹球面に摺動自在に当接する凸球面を前面に有する当接壁が更に設けられ、
該当接壁の中心に、前記球形電気接触部の挿通する開口が設けられていることを特徴とする請求項１又は２に記載のコネクタ。
【請求項４】
前記雌端子に先端が接続された電線の前記第１のコネクタハウジングからの引出部に、前記電線と前記第１のコネクタハウジングの隙間をシールする防水リングが設けられ、
前記雄端子に先端が接続された電線の前記第２のコネクタハウジングからの引出部に、前記電線と前記第２のコネクタハウジングの隙間をシールする防水リングが設けられ、
前記押圧壁の前記凹球面と前記当接壁の前記凸球面の間に、前記球形電気接触部の挿通する開口を囲むようにシール部材が配置されていることを特徴とする請求項３に記載のコネクタ。
【発明の詳細な説明】
【技術分野】
【０００１】
本発明は、雌端子と、該雌端子に挿入される雄端子と、を有するコネクタに関するものである。
【背景技術】
【０００２】
図３は従来のコネクタの一例を示すもので、図３（ａ）は嵌合前の状態、図３（ｂ）は嵌合後の状態をそれぞれ示す断面図である。
【０００３】
図３（ａ）に示すように、このコネクタは、第１のコネクタハウジング６１０に雌端子６２０を収容保持した第１のコネクタ６００と、第２のコネクタハウジング７１０に雄端子７２０を収容保持した第２のコネクタ７００とから構成されている。第１のコネクタハウジング６１０は、外周面６１１ａを嵌合面とする嵌合筒部６１１を有し、第２のコネクタハウジング７１０は、内周面７１１ａを嵌合面とする嵌合筒部７１１を有しており、第１のコネクタハウジング６１０の嵌合筒部６１１の外周面６１１ａと第２のコネクタハウジング７１０の嵌合筒部７１１の内周面７１１ａとを相互にスライドさせることにより、第１のコネクタハウジング６１０と第２のコネクタハウジング７１０とを互いに嵌合させることができるようになっている。
【０００４】
雄端子７２０は、前部にピン状又はタブ状の電気接触部７２１を有し、後部に電線加締部７２２を有しており、第２のコネクタハウジング７１０の嵌合筒部７１１の後端内部の仕切壁７１３に電気接触部７２１の基端部を貫通固定することで、第２のコネクタハウジング７１０に保持されている。電線加締部７２２には、電線Ｗの先端の絶縁被覆Ｗｂを除去して導体Ｗａを露出させた部分が接続され、電線Ｗは、第２のコネクタハウジング７１０の後端から外部に引き出されている。
【０００５】
雌端子６２０は、前部に雄端子７２０に対する電気接触部６２１を有し、後部に電線加締部６２２を有しており、電気接触部６２１を嵌合筒部６１１の内部の端子収容室６１５に挿入することで、第１のコネクタハウジング６１０に保持されている。電線加締部６２２には、電線Ｗの先端の絶縁被覆Ｗｂを除去して導体Ｗａを露出させた部分が接続され、電線Ｗは、第１のコネクタハウジング６１０の後端から外部に引き出されている。そして、雌端子６２０が収容された第１のコネクタハウジング６１０の前端壁６１２に、雄端子７２０の電気接触部７２１が挿入される開口６１３が設けられている。
【０００６】
雌端子６２０の電気接触部６２１には、雄端子７２０の電気接触部７２１が挿入されてきたときに、雄端子７２０の電気接触部７２１に押されて弾性変形させられることで、雄端子７２０の電気接触部７２１に圧接して、雄端子７２０の電気接触部７２１との間に接触荷重を生成しつつ電気接触部７２１を挟持する、湾曲形状又は屈曲形状のバネ部６２３が設けられている。
【０００７】
このコネクタでは、図３（ｂ）に示すように、第１のコネクタ６００と第２のコネクタ７００を嵌合方向にスライドさせると、第１のコネクタハウジング６１０の嵌合筒部６１１の外周面６１１ａと第２のコネクタハウジング７１０の嵌合筒部７１１の内周面７１１ａとが嵌合し始め、それに伴って雄端子７２０の電気接触部７２１の先端が、第１のコネクタハウジング６１０の前端壁６１２の開口６１３から嵌合筒部６１１の内部に挿入されて、雌端子６２０のバネ部６２３に接触する。
【０００８】
更に雄端子７２０の電気接触部７２１が挿入されると、雌端子６２０のバネ部６２３が雄端子７２０の電気接触部７２１に押されることで、弾性変形しながら押し広げられる。そして、雄端子７２０の電気接触部７２１は、雌端子６２０のバネ部６２３による弾性反力（バネ荷重）を受けながら、バネ部６２３と摺動して挿入完了位置に至り、これにより、第１のコネクタ６００と第２のコネクタ７００の嵌合が成立する。このとき、第１のコネクタハウジング６１０の嵌合筒部６１１の外周面６１１ａと第２のコネクタハウジング７１０の嵌合筒部７１１の内周面７１１ａとが嵌合していることで、雌端子６２０と雄端子７２０の接続部分が保護される。
【０００９】
この種のコネクタとしては、特許文献１に、雌端子が径方向に弾性変形可能な筒状壁を有するものとして構成され、雄端子が前記筒状壁に挿入されるピン状の端子として構成され、雄端子を雌端子の筒状壁の内部に挿入したとき、筒状壁が弾性変形して接触荷重を発生するものが開示されている。
【先行技術文献】
【特許文献】
【００１０】
【特許文献１】特許第４２０９７７５号公報
【発明の概要】
【発明が解決しようとする課題】
【００１１】
ところで、上述した従来のコネクタは、第１のコネクタハウジング６１０と第２のコネクタハウジング７１０とが互いに嵌合することによって、内部の雌端子６２０と雄端子７２０の接続部分を保護しているので、第１のコネクタ６００に対して第２のコネクタ７００を矢印Ｒ１、Ｒ２のように屈曲させることがほとんどできなかった。
【００１２】
そこで、本発明の目的は、上記課題を解消することに係り、雄端子と雌端子の接続を維持しながら、第１のコネクタハウジングに対する第２のコネクタハウジングの相対的な屈曲性を確保することのできるコネクタを提供することにある。
【課題を解決するための手段】
【００１３】
本発明の上記目的は、下記の構成により達成される。
（１）  雌端子と、該雌端子に挿入される雄端子と、前記雌端子を収容保持する第１のコネクタハウジングと、前記雄端子を保持する第２のコネクタハウジングと、を有するコネクタであって、
前記雄端子は、前記雌端子に対する挿入方向の先端に球形電気接触部を有し、
前記雌端子は、放射状に配置されることで、前記球形電気接触部が挿入される挿入穴を形成すると共に、前記挿入穴の半径方向に弾性変形可能な多数の接触バネ片を有し、
前記挿入穴は、前記球形電気接触部を受容する受容空間部とされた穴形状を有することを特徴とするコネクタ。
【００１４】
（２）  前記挿入穴は、前記各接触バネ片が前記挿入穴の半径方向に屈曲した形状とされることで、入口部が前記球形電気接触部の挿入されて来る方向に向かって拡開した拡開形状部とされ、その奥部が前記球形電気接触部より小径の窄まり形状部とされ、更に最奥部が前記受容空間部とされ、
前記接触バネ片は、前記雄端子の前記球形電気接触部が前記挿入穴の受容空間部まで挿入された際に、前記球形電気接触部に圧接した状態で前記球形電気接触部を回転可能に保持し、且つ、前記窄まり形状部を形成する屈曲部で、前記球形電気接触部に対し弾性復元力による抜け止め規制力を及ぼす構成とされたことを特徴とする上記（１）に記載のコネクタ。
【００１５】
（３）  前記雄端子を収容保持する前記第２のコネクタハウジングの前端に、前記球形電気接触部の球中心を中心とする凹球面を前面に有する押圧壁が更に設けられ、
一方、前記雌端子を収容保持する前記第１のコネクタハウジングの前端に、前記雄端子の前記球形電気接触部が前記雌端子の前記挿入穴の受容空間部に受容されたとき、前記第１のコネクタハウジングの前記凹球面に摺動自在に当接する凸球面を前面に有する当接壁が更に設けられ、
該当接壁の中心に、前記球形電気接触部の挿通する開口が設けられていることを特徴とする上記（１）又は（２）に記載のコネクタ。
【００１６】
（４）  前記雌端子に先端が接続された電線の前記第１のコネクタハウジングからの引出部に、前記電線と前記第１のコネクタハウジングの隙間をシールする防水リングが設けられ、
前記雄端子に先端が接続された電線の前記第２のコネクタハウジングからの引出部に、前記電線と前記第２のコネクタハウジングの隙間をシールする防水リングが設けられ、
前記押圧壁の前記凹球面と前記当接壁の前記凸球面の間に、前記球形電気接触部の挿通する開口を囲むようにシール部材が配置されていることを特徴とする上記（１）に記載のコネクタ。
【００１７】
上記（１）の構成のコネクタによれば、第２のコネクタハウジングに収容保持された雄端子の先端の球形電気接触部を、第１のコネクタハウジングの前端の当接壁の開口から雌端子の挿入穴に挿入すると、挿入穴を構成する接触バネ片を半径方向外方に弾性変形させ受容空間部に進入する。そうすると、接触バネ片が内方に復元することで、球形電気接触部に抜け止め規制力を及ぼす。
【００１８】
従って、球形電気接触部は、接触バネ片によって、抜け止めされた状態で、受容空間部において回動自在に保持される。
【００１９】
上記（２）の構成のコネクタによれば、第２のコネクタハウジングに収容保持された雄端子の先端の球形電気接触部を、第１のコネクタハウジングの前端の当接壁の開口から雌端子の挿入穴に挿入すると、まず、球形電気接触部が、挿入穴の入口部の拡開形状部からその奥部の窄まり形状部を通過する過程で、挿入穴を構成する接触バネ片を半径方向外方に弾性変形させて、窄まり形状部を広げる。更に球形電気接触部を押し込むと、球形電気接触部が、接触バネ片を半径方向外方に弾性変形させながら、拡がった窄まり形状部を抜けて、挿入穴の最奥部の受容空間部に進入する。そうすると、接触バネ片が内方に復元することで、窄まり形状部が元の形状に向けて閉じる。この段階で接触バネ片は、弾性復元力で球形電気接触部に圧接し、窄まり形状部を形成する接触バネ片の屈曲部が球形電気接触部に抜け止め規制力を及ぼす。
【００２０】
従って、球形電気接触部は、接触バネ片によって、抜け止めされた状態で、受容空間部において回動自在に保持される。
【００２１】
上記（３）の構成のコネクタによれば、受容空間部に球形電気接触部が挿入された段階で、雌端子を収容保持する第１のコネクタハウジングの当接壁の前面の凸球面と、雄端子を保持する第２のコネクタハウジングの押圧壁の前面の凹球面とが球面方向に摺動自在に密接する。そして、このように球形電気接触部が回転自在に保持され、コネクタハウジングの凹球面と凸球面とが球面方向に摺動自在に密接していることにより、第１のコネクタハウジングと第２のコネクタハウジングとを、雌端子と雄端子の接続を保ちながら、３次元方向に自由に屈曲させることができる。
【００２２】
上記（４）の構成のコネクタによれば、第１のコネクタハウジングからの電線引出部と第２のコネクタハウジングからの電線引出部にそれぞれ防水リングが設けられると共に、第１のコネクタハウジングと第２のコネクタハウジングの合わせ面である凸球面と凹球面の間にシール部材が設けられているので、防水・防塵性能を発揮しながら、コネクタを接続状態にすることができる。
【発明の効果】
【００２３】
本発明によれば、雄端子と雌端子の接続を維持しながら、第１のコネクタハウジングに対する第２のコネクタハウジングの相対的な屈曲性を確保することができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明の実施形態のコネクタの構成図で、図１（ａ）は嵌合前の状態を示す断面図、図１（ｂ）は図１（ａ）のＢ矢視方向から見た雌端子の電気接触部の構成を示す正面図である。
【図２】図２（ａ）は同コネクタの嵌合状態を示す断面図、図２（ｂ）は第１のコネクタに対する第２のコネクタの可動範囲を示す部分断面図である。
【図３】図３は従来のコネクタの一例を示すもので、図３（ａ）は嵌合前の状態、図３（ｂ）は嵌合後の状態をそれぞれ示す断面図である。
【発明を実施するための形態】
【００２６】
以下、本発明の実施形態を図面を参照して説明する。
図１は実施形態のコネクタの構成図で、図１（ａ）は嵌合前の状態を示す断面図、図１（ｂ）は図１（ａ）のＢ矢視方向に見た雌端子の電気接触部の構成を示す正面図である。
【００２７】
図１（ａ）に示すように、この実施形態のコネクタは、第１のコネクタハウジング１１０に雌端子１２０を収容保持した第１のコネクタ１００と、第２のコネクタハウジング２１０に前記雌端子１２０に挿入される雄端子２２０を保持した第２のコネクタ２００とから構成されている。
【００２８】
雄端子２２０は、雌端子１２０に対する挿入方向の先端に球形電気接触部２２１を有しており、その後部に、球形電気接触部２２１を支持するロッド２２２を有し、その更に後部に連結部２２７を介して端子ベース２２５を有している。端子ベース２２５には電線加締部２２６が設けられ、その電線加締部２２６に、電線Ｗの先端の絶縁被覆Ｗｂを除去して導体Ｗａを露出させた部分が接続されている。球形電気接触部２２１は、導電性を良くするためのメッキが施されている。
【００２９】
雄端子２２０を保持する第２のコネクタハウジング２１０は、筒状の本体部２１１と、その筒状の本体部２１１の前端に設けられた押圧壁２１２と、を一体に有している。押圧壁２１２の中心には、筒状の本体部２１１から前方に貫通する貫通孔２１３が設けられており、その貫通孔２１３に、防水リングＳ２を介して雄端子２２０のロッド２２２の基端が挿入されて保持されている。球形電気接触部２２１は押圧壁２１２の前方に位置しており、押圧壁２１２の前面には、球形電気接触部２２１の球中心を中心とする凹球面２１２ａが形成されている。
【００３０】
また、雄端子２２０の端子ベース２２５は、第２のコネクタハウジング２１０の筒状の本体部２１１の内部に収容されており、端子ベース２２５の電線加締部２２６に接続された電線Ｗは、筒状の本体部２１１の後端開口から外部に引き出されている。そして、その電線Ｗの引出部には、第２のコネクタハウジング２１０と電線Ｗとの間の隙間をシールすると共に電線Ｗを保持する防水リングＳ１が嵌め込まれている。
【００３１】
一方、雌端子１２０は、前部に雄端子２２０と電気的に接続される電気接触部１２１を有し、後部に端子ベース１２２を有している。端子ベース１２２には電線加締部１２３が設けられ、その電線加締部１２３に、電線Ｗの先端の絶縁被覆Ｗｂを除去して導体Ｗａを露出させた部分が接続されている。
【００３２】
雌端子１２０の前部に設けられた電気接触部１２１は、図１（ｂ）に示すように、基端部１２５ａが端子ベース１２２のバネ保持部１２４によって支持され、放射状（花弁状）に配置された多数（実施形態では１６個）の接触バネ片１２５によって構成されている。多数の接触バネ片１２５は、放射状に配置されていることで、雄端子２２０の球形電気接触部２２１が挿入される挿入穴１２６を形成している。
【００３３】
各接触バネ片１２５は、導電性を良くするためのメッキが施された金属ワイヤ又は細幅帯板片よりなり、先端側が、挿入穴１２６の半径方向に弾性変形可能な自由端となっている。各接触バネ片１２５は、バネ保持部１２４に固定された基端部１２５ａから先端部１２５ｄに向かって、外側に凸に曲がった第１の屈曲部１２５ｂと、内側に凸に曲がった第２の屈曲部１２５ｃとを有している。
【００３４】
挿入穴１２６は、各接触バネ片１２５が上述のように挿入穴１２６の半径方向に屈曲した形状とされることで、入口部が球形電気接触部２２１の挿入されて来る方向に向かって拡開した拡開形状部１２６ａとされ、その奥部が球形電気接触部２２１より小径の窄まり形状部１２６ｂとされ、更に最奥部が球形電気接触部２２１を受容する受容空間部１２６ｃとされた穴形状を有している。
【００３５】
そして、各接触バネ片１２５は、雄端子２２０の球形電気接触部２２１が挿入穴１２６の受容空間部１２６ｃまで挿入された際に、球形電気接触部２２１に圧接した状態で球形電気接触部２２１を回転可能に保持し、且つ、窄まり形状部１２６ｂを形成する第２の屈曲部１２５ｃで、球形電気接触部２２１に対し弾性復元力による抜け止め規制力を及ぼす構成になっている。
【００３６】
このような構成の雌端子１２０を収容保持する第１のコネクタハウジング１１０は、先端にいくほど拡がったテーパ筒状の本体部１１１と、そのテーパ筒状の本体部１１１の前端に設けられた当接壁１１２と、を一体に有している。当接壁１１２の前面には、雄端子２２０の球形電気接触部２２１が雌端子１２０の挿入穴１２６の受容空間部１２６ｃに受容されたとき、第２のコネクタハウジング２１０の押圧壁２１２の前面の凹球面２１２ａに摺動自在に当接する凸球面１１２ａが形成されている。また、凸球面１１２ａが形成された当接壁１１２の中央部には、雄端子２２０の球形電気接触部２２１の挿通する円形の開口１１３が設けられている。
【００３７】
また、当接壁１１２の凸球面１１２ａには、球形電気接触部２２１の挿通する開口１１３を囲むように環状溝１１４が設けられており、環状溝１１４には、凸球面１１２ａと凹球面２１２ａ間をシールするＯリング（シール部材）１１５が配置されている。
【００３８】
また、雌端子１２０の端子ベース１２２は、第１のコネクタハウジング１１０のテーパ筒状の本体部１１１の後部に収容されており、端子ベース１２２の電線加締部１２３に接続された電線Ｗは、テーパ筒状の本体部１１１の後端開口から外部に引き出されている。そして、その電線Ｗの引出部には、第１のコネクタハウジング１１０と電線Ｗとの間の隙間をシールすると共に電線Ｗを保持する防水リングＳが嵌め込まれている。
【００３９】
次に作用を説明する。
第１のコネクタ１００と第２のコネクタ２００を接続する場合、図２（ａ）に示すように、第２のコネクタハウジング２１０に収容保持された雄端子２２０の先端の球形電気接触部２２１を、第１のコネクタハウジング１１０の前端の当接壁１１２の開口１１３から、雌端子１２０の挿入穴１２６に挿入する。そうすると、まず、球形電気接触部２２１が、挿入穴１２６の入口部の拡開形状部１２６ａからその奥部の窄まり形状部１２６ｂを通過する過程で、挿入穴１２６を構成する接触バネ片１２５を半径方向外方に弾性変形させて、窄まり形状部１２６ｂを拡げる。
【００４０】
更に球形電気接触部２２１を押し込むと、球形電気接触部２２１が、接触バネ片１２５を半径方向外方に弾性変形させながら、拡がった窄まり形状部１２６ｂを抜けて、挿入穴１２６の最奥部の受容空間部１２６ｃに進入する。そうすると、接触バネ片１２５が内方に復元することで、窄まり形状部１２６ｂが元の形状に向けて閉じる。この段階で接触バネ片１２５は、弾性復元力で球形電気接触部２２１に圧接し、窄まり形状部１２６ｂを形成する接触バネ片１２５の第２の屈曲部１２５ｃが球形電気接触部２２１に抜け止め規制力を及ぼす。従って、球形電気接触部２２１は、多数の接触バネ片１２５によって、抜け止めされた状態で、受容空間部１２６ｃにおいて回動自在に保持される。
【００４１】
また、このように受容空間部１２６ｃに球形電気接触部２２１が挿入された段階で、雌端子１２０を収容保持する第１のコネクタハウジング１１０の当接壁１１２の前面の凸球面１１２ａと、雄端子２２０を保持する第２のコネクタハウジング２１０の押圧壁２１２の前面の凹球面２１２ａとが球面方向に摺動自在に密接する。
【００４２】
そして、このように球形電気接触部２２１が回転自在に保持され、コネクタハウジング１１０、２１０の凹球面２１２ａと凸球面１１２ａとが球面方向に摺動自在に密接していることにより、第１のコネクタハウジング１１０と第２のコネクタハウジング２１０とを、雌端子１２０と雄端子２２０の接続を保ちながら、３次元方向である矢印Ｒ１、Ｒ２、Ｒ３、Ｒ４方向に自由に屈曲させることができる。
【００４３】
この場合、図２（ｂ）に示すように、開口１１３の縁に、雄端子２２０のロッド２２２の基端に位置する防水リングＳ２が当たることで、第１のコネクタハウジング１１０に対する第２のコネクタハウジング２１０の可動範囲θが規制される。
【００４４】
また、このような接続状態のときに、防水リングＳ、Ｓ１、Ｓ２とＯリング１１５とがコネクタハウジング１１０、２１０の内部をシールするので、雌端子１２０と雄端子２２０の接続部分に対する防水・防塵性能を発揮することができる。
【００４５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
ここで、上述した本発明に係るコネクタの実施形態の特徴をそれぞれ以下［１］〜［４］に簡潔に纏めて列記する。
【００４７】
［１］  雌端子（１２０）と、該雌端子に挿入される雄端子（２２０）と、前記雌端子（１２０）を収容保持する第１のコネクタハウジング（１１０）と、前記雄端子（２２０）を保持する第２のコネクタハウジング（２１０）と、を有するコネクタであって、
前記雄端子（２２０）は、前記雌端子（１２０）に対する挿入方向の先端に球形電気接触部（２２１）を有し、
前記雌端子は、放射状に配置されることで、前記球形電気接触部（２２１）が挿入される挿入穴（１２６）を形成すると共に、前記挿入穴（１２６）の半径方向に弾性変形可能な多数の接触バネ片（１２５）を有し、
前記挿入穴（１２６）は、前記球形電気接触部（２２１）を受容する受容空間部（１２６ｃ）とされた穴形状を有することを特徴とするコネクタ。
【００４８】
［２］  前記挿入穴（１２６）は、前記各接触バネ片（１２５）が前記挿入穴（１２６）の半径方向に屈曲した形状とされることで、入口部が前記球形電気接触部（２２１）の挿入されて来る方向に向かって拡開した拡開形状部（１２６ａ）とされ、その奥部が前記球形電気接触部（２２１）より小径の窄まり形状部（１２６ｂ）とされ、更に最奥部が前記受容空間部（１２６ｃ）とされ、
前記接触バネ片（１２５）は、前記雄端子（２２０）の前記球形電気接触部（２２１）が前記挿入穴（１２６）の受容空間部まで挿入された際に、前記球形電気接触部（２２１）に圧接した状態で前記球形電気接触部（２２１）を回転可能に保持し、且つ、前記窄まり形状部（１２６ｂ）を形成する屈曲部（１２５ｃ）で、前記球形電気接触部（２２１）に対し弾性復元力による抜け止め規制力を及ぼす構成とされたことを特徴とする上記［１］に記載のコネクタ。
【００４９】
［３］  前記雄端子（２２０）を収容保持する前記第２のコネクタハウジング（２１０）の前端に、前記球形電気接触部（２２１）の球中心を中心とする凹球面（２１２ａ）を前面に有する押圧壁（２１２）が更に設けられ、
一方、前記雌端子（１２０）を収容保持する前記第１のコネクタハウジング（１１０）の前端に、前記雄端子（２２０）の前記球形電気接触部（２２１）が前記雌端子（１２０）の前記挿入穴（１２６）の受容空間部に受容されたとき、前記第１のコネクタハウジング（１１０）の前記凹球面（２１２ａ）に摺動自在に当接する凸球面（１１２ａ）を前面に有する当接壁（１１２）が更に設けられ、
該当接壁（１１２）の中心に、前記球形電気接触部（２２１）の挿通する開口（１１３）が設けられていることを特徴とする上記［１］又は［２］に記載のコネクタ。
【００５０】
［４］  前記雌端子（１２０）に先端が接続された電線（Ｗ）の前記第１のコネクタハウジング（１１０）からの引出部に、前記電線（Ｗ）と前記第１のコネクタハウジング（１１０）の隙間をシールする防水リング（Ｓ）が設けられ、
前記雄端子（２２０）に先端が接続された電線（Ｗ）の前記第２のコネクタハウジング（２１０）からの引出部に、前記電線（Ｗ）と前記第２のコネクタハウジング（２１０）の隙間をシールする防水リング（Ｓ１）が設けられ、
前記押圧壁（２１２）の前記凹球面（２１２ａ）と前記当接壁（１１２）の前記凸球面（１１２ａ）の間に、前記球形電気接触部（２２１）の挿通する開口を囲むようにシール部材（１１５）が配置されていることを特徴とする上記［３］に記載のコネクタ。
【符号の説明】
【００５１】
１１０  第１のコネクタハウジング
１１２  当接壁
１１２ａ  凸球面
１１３  開口
１１５  Ｏリング（シール部材）
１２０  雌端子
１２５  接触バネ片
１２５ｃ  第２の屈曲部
１２６  挿入穴
１２６ａ  拡開形状部
１２６ｂ  窄まり形状部
１２６ｃ  受容空間
２１０  第２のコネクタハウジング
２１２  押圧壁
２１２ａ  凹球面
２２０  雄端子
２２１  球形電気接触部
【図１】
2015005403.tif 000003
【図２】
2015005403.tif 000004
【図３】
2015005403.tif 000005